(57)【要約】【課題】簡便な構造で、しかも、分解して容易に持ち運べる写真撮影用照明架台を提供する。【解決手段】写真撮影用の照明を設置する照明架台であって、下面枠、上面枠、および、該下面枠と上面枠とを連結する支柱から構成されており、前記上面枠、下面枠、および、支柱は、端面に凹凸部を有する複数の部材を繋ぎ合わせて組み立てられ、前記上面枠を傾斜した位置で固定することにより、該上面枠に設置する照明の角度を調整できることを特徴とする写真撮影用照明架台。【選択図】図１
0003111680.tif 000002
【実用新案登録請求の範囲】
【請求項１】
写真撮影用の照明を設置する照明架台であって、
下面枠、上面枠、および、該下面枠と上面枠とを連結する支柱から構成されており、
前記上面枠、下面枠、および、支柱は、端面に凹凸部を有する複数の部材を繋ぎ合わせて組み立てられ、
前記上面枠を傾斜した位置で固定することにより、該上面枠に設置する照明の角度を調整できることを特徴とする写真撮影用照明架台。
【請求項２】
前記下面枠、上面枠、および、支柱を分解して持ち運びできることを特徴とする請求項１に記載の写真撮影用照明架台。
【請求項３】
前記下面枠と上面枠との間に、半透明のフィルターからなる中枠を有することを特徴とする請求項１または請求項２に記載の写真撮影用照明架台。
【考案の詳細な説明】
【技術分野】
【０００１】
本考案は、写真撮影用の照明を設置する照明架台に関する。
【背景技術】
【０００２】
従来から、写真撮影用ユニットに関しては、種々の提案がなされており、例えば、特開平１１−１０９４５９号公報には、車輪を有するベース台の片側に立設したアームに撮影台を支持し、カメラ支持アームと、ディフーザー支持アームと、ライトカットシート支持アームと、グラデーションシート支持アームと、光源支持用アームとを有する撮像台ユニットが提案されている。
しかし、特開平１１−１０９４５９号公報に記載された撮像台ユニットは、移動のための車輪や、撮影台、カメラ支持アームなどにより複雑な構造となるため高価な装置だったうえ、ある程度分解したとしても持ち運びが困難であった。
【特許文献１】特開平１１−１０９４５９号公報
【考案の開示】
【考案が解決しようとする課題】
【０００３】
本考案は、前述のような従来技術の問題点を解決し、簡便な構造で、しかも、分解して容易に持ち運べる写真撮影用照明架台を提供することを課題とする。
【課題を解決するための手段】
【０００４】
本考案は、前述の課題を解決するために、鋭意検討の結果なされたものであり、その要旨とするところは実用新案登録請求の範囲に記載した通りの下記内容である。
（１）写真撮影用の照明を設置する照明架台であって、
下面枠、上面枠、および、該下面枠と上面枠とを連結する支柱から構成されており、
前記上面枠、下面枠、および、支柱は、端面に凹凸部を有する複数の部材を繋ぎ合わせて組み立てられ、
前記上面枠を傾斜した位置で固定することにより、該上面枠に設置する照明の角度を調整できることを特徴とする写真撮影用照明架台。
（２）前記下面枠、上面枠、および、支柱を分解して持ち運びできることを特徴とする（１）に記載の写真撮影用照明架台。
（３）前記下面枠と上面枠との間に、半透明のフィルターからなる中枠を有することを特徴とする（１）または（２）に記載の写真撮影用照明架台。
【考案の効果】
【０００５】
本考案によれば、簡便な構造で、しかも、分解して容易に持ち運べる写真撮影用照明架台を提供することができるなど、産業上有用な著しい効果を奏する。
【考案を実施するための最良の形態】
【０００６】
本考案を実施するための最良の形態について、図１乃至図７を用いて詳細に説明する。
図１は、本発明の写真撮影用照明架台の構造を例示する図である。
図１において、１は上面枠、２は支柱、３は下面枠を示す。
本発明は、写真撮影用の照明を設置する照明架台であって、下面枠３、上面枠１、および、該下面枠３と上面枠１とを連結する支柱２から構成されており、前記下面枠３、上面枠１、および、支柱２は、端面に凹凸部を有する複数の部材を繋ぎ合わせて組み立てられ、前記上面枠１を傾斜した位置で固定することにより、該上面枠に設置する照明の角度を調整できることを特徴とする。
図１に示すように、上面枠１、支柱２、および下面枠３は、端面に凹凸部を有する複数の部材を繋ぎ合わせて組み立てられる。
【０００７】
使用する部材の数や長さを変えることにより、組み立てる上面枠１および下面枠３の大きさや支柱２の長さ適宜調節することができるうえ、端面に設けられた凹凸部を嵌め合わせることにより簡単に組み立てることができるうえ、使用しないときには分解して簡単に持ち運ぶことができる。
本考案においては、この凹凸部の構造は問わないが、例えば円筒形もしくは矩形の凹凸の表面にゴムキャップを設けた構造とすることによって、簡単に着脱することができるうえ、ゴムの摩擦力によって外れにくくすることができる。
また、各部材には多数のネジ穴が設けられており、使用するネジ穴の位置を変えることによって、照明架台の形状を変えることができるうえ、使用するネジ穴の位置を変えない限り、一定の形状を保持することができるので、分解・組み立てを行った後に照明架台の形状を正確に再現することができる。
さらに、上面枠１を傾斜した位置で固定することにより、該上面枠１に設置する照明の角度を調整することができる。
撮影する際には、撮影対象を下面枠３の中に置いて撮影するが、被写体によっては真上からの照明より、斜め上から照明を照らした方がよい場合がある。
そこで、図４に示すように、上面枠１を最大４５°程度まで傾斜させることによって、被写体に合わせて照明の角度を変えて、カメラ４で撮影することができる。
また、上面枠１の周囲にトレーシングペーパーを配置して外側に照明を配置することによって、間接照明による撮影を行うことができる。
さらに、図８に示すように、上面枠１と下面枠３との間に、中枠６、６´を設け、この中枠６、６´を半透明のフィルターで構成することによって、被写体の上側または下面から直接光ではなく透過光を照射し、間接照明による撮影を行うことができるので、ガラス製品や、ペットボトルに入っている清涼飲料、アクセサリー、宝石等の光を透過する被写体を効果的に撮影することができる。
【０００８】
図２および図３は、本発明の写真撮影用照明架台の実施形態を例示する図である。
図２および図３において、１は上面枠、２は支柱、３は下面枠を示す。
図２に示すように、支柱２に例えばグラデーションシート等の背景紙を取り付け、この背景紙の上に被写体を置いて撮影することが好ましい。
また、図３に示すように、支柱２に設けられた使用するネジ穴を変えることによって、上面枠１を傾斜させて固定することができる。
【０００９】
図５および図６は、本発明の写真撮影用照明架台の実施形態を例示する図である。
図５および図６において、１は上面枠、２は支柱、３は下面枠を示す。
図５に示すように、支柱２に例えばグラデーションシート等の背景紙を取り付け、この背景紙の上に被写体を置いて撮影することが好ましい。
また、図６に示すように、上面枠１と支柱２の間に、支持部材５を設けて、上面枠１の角度を調整することができるうえ、支柱２の本数を低減することによって、撮影の際に支柱が邪魔にならないようにすることができる。
【００１０】
図７は、本発明の写真撮影用照明架台を分解して持ち運ぶ状況を示す図である。
前述のように、本発明の写真撮影用照明架台を構成する上面枠１、支柱２、および下面枠３は、端面に凹凸を有する部材を繋ぎ合わせて組み立てられているので、使用しないときには、これを分解して図７に示すように丸めてバッグ状にして持ち運ぶことができる。
【図面の簡単な説明】
【００１１】
【図１】本発明の写真撮影用照明架台の構造を例示する図である。
【図２】本発明の写真撮影用照明架台の実施形態を例示する図である。
【図３】本発明の写真撮影用照明架台の実施形態を例示する図である。
【図４】本発明の写真撮影用照明架台の使用状態を例示する図である。
【図５】本発明の写真撮影用照明架台の実施形態を例示する図である。
【図６】本発明の写真撮影用照明架台の実施形態を例示する図である。
【図７】本発明の写真撮影用照明架台を分解して持ち運ぶ状況を示す図である。
【図８】本発明の写真撮影用照明架台の実施形態を例示する図である。
【符号の説明】
【００１２】
１  上面枠
２  支柱
３  下面枠
４  カメラ
５  支持部材
６、６´中枠
【図１】
0003111680.tif 000003
【図２】
0003111680.tif 000004
【図３】
0003111680.tif 000005
【図４】
0003111680.tif 000006
【図５】
0003111680.tif 000007
【図６】
0003111680.tif 000008
【図７】
0003111680.tif 000009
【図８】
0003111680.tif 000010